(57)【要約】【課題】コンバインの運転席側部に設けられるサイドコラムについて、部品点数を削減してサイドコラムの組み付け作業を容易にし、かつ外観の向上を可能とする技術を提供することを課題とする。【解決手段】運転部１４側部にサイドコラム２１を設け、サイドコラム２１上に、各操作レバー２６・２７・２８や操作スイッチ等を配置した操作パネル２３と、サイドアシスト２５と、表示パネル２４とを配置したコンバイン５０の運転部１４において、操作パネル２３の前部から側部に、サイドアシスト２５と、表示パネル２４の取付部を一体的に構成したサイドパネル２２を配置した構成とする。【選択図】図３
2007236336.tif 000002
【特許請求の範囲】
【請求項１】
運転座席側部にサイドコラムを設け、
該サイドコラム上に、
操作レバーや操作スイッチ等を配置した操作パネルと、
サイドアシストと、
表示パネルとを配置したコンバインの操縦部において、
前記操作パネルの前部から側部に、
前記サイドアシストと、
表示パネルの取付部を一体的に構成したサイドパネルを配置したこと、
を特徴とするコンバイン。
【請求項２】
前記サイドパネルをブロー成形により成形し、
サイドパネルの前部に取付孔を開口し、
該取付孔に表示パネルを下方より取り付けたこと、
を特徴とする請求項１記載のコンバイン。
【請求項３】
前記表示パネルを平面視において、
運転座席と右側分草板を結ぶ線上に配置したこと、
を特徴とする請求項２記載のコンバイン。
【請求項４】
前記サイドパネルが、
該サイドパネルの縁部下面に凸部を有し、
該凸部に前記操作パネルを当接して固定するとともに、
前記サイドパネルを、
前記操作パネルに載置するように配置したこと、
を特徴とする請求項２記載のコンバイン。
【発明の詳細な説明】
【技術分野】
【０００１】
本発明は、コンバインの運転席に設けられるサイドコラムの技術に関する。
【背景技術】
【０００２】
従来、コンバインの運転席において、運転席の側部にサイドコラムを設けて、該サイドコラム上に表示パネルや各種の操作レバーおよびサイドアシスト（取っ手部）等を集中して配置し、オペレータの座席スペースを確保しやすくして、かつ運転操作性の向上がなさせている。例えば、（特許文献１）に記載の如く、運転座席の左側にレバーガイドを配置し、さらにその左側に取っ手部が形成されたサイドカバーを配置するとともに、前記レバーガイドの前方に表示パネルを配置してオペレータの座席スペースの確保と操縦性の向上等を可能とする技術が公開され、公知となっている。
また、（特許文献２）に記載の如く、コンバインの運転席前方に配置されるフロントパネルをブロー成型品で構成し、該フロントパネルにアーチ状の手摺部を設けるとともに、表示パネルを収納する収納空間を有するメータボックスを、前記フロントパネルとヒンジ部で接合する構造とした技術が公開され、公知となっている。
【特許文献１】特開２００３−２８４４２２号公報
【特許文献２】特許第３６４１６０１号公報
【発明の開示】
【発明が解決しようとする課題】
【０００３】
しかしながら、従来のサイドコラムの構造においては、前記メータパネルおよびサイドアシスト等は別々の部品で構成されるため、部品点数が多くなって取付に手間を要し、かつ取付ボルト等の締結部が露出して外観が見苦しいという問題があった。
そこで本発明では、コンバインの運転席側部に設けられるサイドコラムについて、部品点数を削減してサイドコラムの組み付け作業を容易にし、かつ外観の向上を可能とする技術を提供することを課題としている。
【課題を解決するための手段】
【０００４】
本発明の解決しようとする課題は以上の如くであり、次にこの課題を解決するための手段を説明する。
【０００５】
即ち、請求項１においては、運転座席側部にサイドコラムを設け、該サイドコラム上に、操作レバーや操作スイッチ等を配置した操作パネルと、サイドアシストと、表示パネルとを配置したコンバインの操縦部において、前記操作パネルの前部から側部に、前記サイドアシストと、表示パネルの取付部を一体的に構成したサイドパネルを配置したこと、を特徴としたものである。
【０００６】
請求項２においては、前記サイドパネルをブロー成形により成形し、サイドパネルの前部に取付孔を開口し、該取付孔に表示パネルを下方より取り付けたこと、を特徴としたものである。
【０００７】
請求項３においては、前記表示パネルを平面視において、運転座席と右側分草板を結ぶ線上に配置したこと、を特徴としたものである。
【０００８】
請求項４においては、前記サイドパネルが、該サイドパネルの縁部下面に凸部を有し、該凸部に前記操作パネルを当接して係止するとともに、前記サイドパネルを、前記操作パネルに載置するように配置したこと、を特徴としたものである。
【発明の効果】
【０００９】
本発明の効果として、以下に示すような効果を奏する。
【００１０】
請求項１においては、サイドパネルの部品点数を削減することができる。そのため、組立工数を削減でき、表示パネルを容易に取り付けることができる。また、外観を向上することができる。
【００１１】
請求項２においては、サイドパネルを簡単に安価に製造することができる。また、表示パネルを簡単に取り付けることができる。
【００１２】
請求項３においては、刈取作業時に視線を大きくそらすことなく、表示パネルを見ることができる。
【００１３】
請求項４においては、サイドパネルと操作パネルの接合部に隙間がないため、塵等の堆積を防止することができ、かつ外観を向上させることができる。
【発明を実施するための最良の形態】
【００１４】
次に、発明の実施の形態を説明する。
【００１５】
次に、発明の実施の形態を説明する。
まず、本発明に係るコンバイン５０の全体構成について、図１または図２を用いて説明する。
尚、以下の説明における左・右は、コンバイン５０の機体進行方向における左・右を指すものとする。
本発明に係るコンバイン５０において、クローラ式走行装置１上には機体フレーム２が載置され、この機体フレーム２の前端には刈取部３が昇降可能に配設されている。この刈取部３の前端からは穀稈を分草するための分草板４が突出しており、この分草板４の後部には引起しケース５（引起し装置）が立設されている。そして、引起しケース５からはタイン６が突出しており、このタイン６が引起しケース５の周りを回動することにより穀稈を引き起し、前記分草板４後部に配設される刈刃７により穀稈の株元を刈り取る構成となっている。
【００１６】
機体側方（左側方）には、脱穀用穀稈を搬送するフィードチェン９が設けられており、刈取部３で刈り取られた穀稈は、下部搬送装置８ａ、上部搬送装置８ｂ、縦搬送装置８ｃにより後方へ搬送され、株元が縦搬送装置８ｃの上端からフィードチェン９に受け継がれて脱穀部１２内に搬送される。
扱胴１２ａは、脱穀部１２における扱室１８内に設けられており、該扱室１８は左側方を開放可能な扱室カバー１８ａに覆われている。
また、フィードチェン９の後端には排藁チェン１０が配設されており、この排藁チェン１０の後部下方には排藁カッター装置、拡散コンベア等からなる排藁処理部１１が形成されている。この排藁処理部により、排藁を切断して藁片にした後、拡散しながら圃場に均一放出、あるいは切断せずに放出するようにしている。
【００１７】
前記脱穀部１２の下方には選別部が配設されており、この選別部によって脱穀部１２から流下する穀粒や藁屑などから穀粒を選別し、選別後の穀粒を脱穀部１２の側方に配設されるグレンタンク１３に搬送して貯溜したり、藁屑などを機外に排出したりするようにしている。このグレンタンク１３後方には排出オーガ１５が構成されて縦排出オーガ１５ａが立設されている。この縦排出オーガ１５ａを中心にしてグレンタンク１３が側方へ回動可能とされており、機体内部側に配置される駆動系や油圧系のメンテナンスが容易に行われるようになっている。グレンタンク１３の底部には図示しない排出コンベアが前後方向に配設されており、この排出コンベアから前記排出オーガ１５に動力を伝達することで、排出オーガ１５に設けられた排出口１５ｃから外部へグレンタンク１３内の穀粒を排出できるようにしている。前記排出オーガ１５は、主に、下端が前記排出コンベアと連通され穀粒を縦送りする前記縦排出オーガ１５ａと、この縦排出オーガ１５ａの上端に連通されて穀粒を横送りする横排出オーガ１５ｂとからなり、グレンタンク１３の後側に立設された縦排出オーガ１５ａの上端に、横排出オーガ１５ｂの基端側が上下回動可能に枢着されている。縦排出オーガ１５ａは、機体フレーム２に対して旋回可能に枢着されている。これらにより、任意の場所へ穀粒を排出することが可能となっている。
また、グレンタンク１３の前方には運転部１４が構成されており、操向ハンドル１６およびシート２０が設けられている。
そして、運転部１４の左側方においては、サイドコラム２１が配設されている。
該サイドコラム２１上には、サイドパネル２２および操作パネル２３が構成され、サイドパネル２２には、表示パネル２４およびサイドアシスト２５等が設けられ、また操作パネル２３上には、走行変速レバー２６、副変速レバー２７、作業切替クラッチレバー２８等がオペレータの視認および操作のしやすい位置に配置されている。
以上が、本発明に係るコンバイン５０の全体構成についての説明である。
【００１８】
次に、本発明の要旨である、サイドコラム２１の全体構造について、図３乃至図９を用いて詳細に説明をする。
図３に示す如く、前述した通り、サイドコラム２１の上部には、サイドパネル２２および操作パネル２３が配設されている。
図３乃至図９に示す如く、サイドパネル２２は、ブロー成型品の樹脂製部材であり、丸みを帯びた平面視略「く」字型形状に成型している。サイドパネル２２全体が一体部材で成型されているため、部品点数の削減が可能となり、組付時間の短縮や製造コストの削減に寄与している。
また、サイドパネル２２の前部は断面視略三角形状に形成して、後方上向きかつオペレータ側に向けた傾斜面を形成して、この傾斜面の中央には、表示パネル２４の表示面を露出するための開口部として表示開口部２２ａが形成されている。
【００１９】
また、図５に示す如く、前記ブロー成形したサイドパネル２２下面側において、表示開口部２２ａ下方には、表示パネル２４をサイドパネル２２内に挿入し取り付けるための取付開口部２２ｂが形成されている。そして、該取付開口部２２ｂを塞ぐように表示パネル取付金具２９が固設されている。
表示パネル取付金具２９には、取付開口部２２ｂの周囲に設けられたネジ穴２２ｃ・２２ｃ・・・と対応する孔２９ｂ・２９ｂ・・・が形成されており、この孔２９ｂを通してネジ孔２２ｃにネジを螺合させることにより、表示パネル取付金具２９を固設するようにしている。
そして、表示パネル取付金具２９上には、取付ステー２９ｃを設けており、これにより表示パネル２４の取付角度を調整し、表示パネル２４を前記取付ステー２９ｃ上に組み付けて表示パネル取付金具２９上に支持し、下方からサイドパネル２２内に挿入して取り付ける構成としている。
また、表示パネル取付金具２９の中央には、配線取り出し用の配線開口部２９ａが形成されており、表示パネル２４に接続される配線類をサイドパネル２２の外部に引き出すことが可能な構成としている。
このように、サイドパネル２２内部および下面に接合箇所を設ける構成とすることにより、外観上はボルトによる締結部が露出せず、運転部１４内部の美観性向上に寄与している。
【００２０】
また、図３、図４、図６、図７に示す如く、サイドパネル２２の側部の前後中途部には、サイドアシスト２５となる開口部が一体的に形成されている。このサイドアシスト２５となる開口部は前後方向に長い長孔として左右方向に貫通して形成され、該開口部に手を挿入でき、上面と開口部の間を握れる構成としている。こうして、オペレータが運転部１４へ搭乗後にシート２０に座った状態で左前側方向にサイドアシスト２５が位置し、左手で握り姿勢を安定させる際等の手掛かりとなるように構成している。このように、サイドアシスト２５を一体的に成型することにより、部品点数を削減することができ、組みつけ作業が省略できる。また、運転部１４の美観性向上にも寄与している。
【００２１】
また、図３乃至図５および図７に示す如く、操作パネル２３は、背面視で鋼板を略コの字型に形成した部材であり、コの字の開放側を下方に向けて、サイドパネル２２の運転席側に配設している。そして、操作パネル２３には、前記各操作レバー２６・２７・２８やスイッチ類を露出させるための各種レバー用の開口部２６ａ・２７ａ・２８ａが形成されており、操作パネル２３内に内臓される図示しない機構部を保護しつつ、レバーおよびスイッチ等の操作部だけをオペレータにとって操作性の良い配置で露出させるように構成している。
【００２２】
また、図３、図７または図９に示す如く、前記サイドパネル２２は、操作パネル２３上に載置されるようにして配置され、かつサイドパネル２２の下面の縁部状に形成された凸部２２ｅに操作パネル２３が当接するように構成されている。つまり、該凸部２２ｅは断面視矩形状に構成して、サイドパネル２２の側端面よりも内側に配置し、凸部２２ｅの側面とサイドパネル２２の側端側の下面が操作パネル２３の上角部に当接して配置され、言い換えれば、操作パネル２３の端部上にサイドパネル２２の一部が載置されて、サイドパネル２２と操作パネル２３が平面視で一部重なるようにして隙間ができないようにしている。そして、図５、図６に示すように、該凸部２２ｅに形成されているボルト穴２２ｄ・２２ｄ・・・を利用して、操作パネル２３がサイドパネル２２にボルト等により締結され、支持される構成としている。
こうして、前記凸部２２ｅには、操作パネル２３の前方側と左方側の二辺が当接するように構成しているため、操作パネル２３の位置決めが容易となり、操作パネル２３の組付作業が容易になる。
【００２３】
また、図２に示す如く、操作パネル２３は、刈取作業中のオペレータにとって確認頻度が高い右側の分草板４を視認する際の視線と平面視において延長線上に配置する構成としている。つまり、右側の分草板４とシート２２上に座ったオペレータの頭とを結ぶ線上の間に操作パネル２３が配置される。これにより、刈取作業時には少ない視線の移動で表示パネル２３を確認することが可能となり、作業性や安全性の向上に寄与している。
以上が、サイドコラム２１の全体構造についての説明である。
【００２４】
以上の説明に示す如く、運転部１４側部にサイドコラム２１を設け、サイドコラム２１上に、各操作レバー２６・２７・２８や操作スイッチ等を配置した操作パネル２３と、サイドアシスト２５と、表示パネル２４とを配置したコンバイン５０の運転部１４において、操作パネル２３の前部から側部に、サイドアシスト２５と、表示パネル２４の取付部を一体的に構成したサイドパネル２２を配置した構成としている。
これにより、サイドパネル２２の部品点数を削減することができるのである。そのため、組立工数を削減でき、表示パネル２４を容易に取り付けることができるのである。
また、外観を向上することができるのである。
【００２５】
また、サイドパネル２２をブロー成形により成形し、サイドパネル２２の前部に表示開口部２２ａを開口し、表示開口部２２ａに表示パネル２４を下方より取り付けた構成としている。
これにより、サイドパネル２２を簡単に安価に製造することができるのである。
また、表示パネル２４を簡単に取り付けることができるのである。
【００２６】
また、表示パネル２４を平面視において、シート２０（つまり、着座したオペレータの仮想頭部位置）と右側の分草板４を結ぶ線上に配置した構成としている。
これにより、刈取作業時に視線を大きくそらすことなく、表示パネル２４を見ることができるのである。
【００２７】
また、サイドパネル２２が、縁部下面に凸部２２ｅを有し、凸部２２ｅに操作パネル２３を当接して係止するとともに、サイドパネル２２を、操作パネル２３に載置するように配置した構成としている。
これにより、サイドパネル２２と操作パネル２３の接合部に隙間がないため、塵等の堆積を防止することができ、かつ外観を向上させることができるのである。
【図面の簡単な説明】
【００２８】
【図１】本発明の一実施例に係るコンバインの全体的な構成を示した側面図。
【図２】同じく平面図。
【図３】本発明の一実施例に係るサイドコラムの全体的な構成を示した斜視図。
【図４】同じく平面図。
【図５】同じく下面図。
【図６】同じく左側面図。
【図７】同じく右側面図。
【図８】同じく正面図。
【図９】同じく背面図。
【符号の説明】
【００２９】
６    運転部
２１    サイドコラム
２２    サイドパネル
２３    操作パネル
２４    表示パネル
２５    サイドアシスト
２６    走行変速レバー
２７    副変速レバー
２８    作業切替クラッチレバー
【図１】
2007236336.tif 000003
【図２】
2007236336.tif 000004
【図３】
2007236336.tif 000005
【図４】
2007236336.tif 000006
【図５】
2007236336.tif 000007
【図６】
2007236336.tif 000008
【図７】
2007236336.tif 000009
【図８】
2007236336.tif 000010
【図９】
2007236336.tif 000011